(57)【特許請求の範囲】
【請求項１】
Ｘ線源及びＸ線検出器を備える架台装置と、被検体を載置する天板を備える寝台装置とを設けるスキャナ手段と、
前記スキャナ手段の動作を制御すると共に、前記天板が所定の状態に達した時点からの時間経過を基に、前記Ｘ線源の通電を制御する通電制御手段と、を有し、
前記通電制御手段は、スキャン終了後の前記架台装置からの前記天板の退避途中、又は、前記天板の下降途中で前記天板の所要位置を検知すると、その検知の時点から所要時間経過の時点まで、前記Ｘ線源への通電を維持する通電待機時間を継続するＸ線ＣＴ装置。
【請求項２】
Ｘ線源及びＸ線検出器を備える架台装置と、被検体を載置する天板を備える寝台装置とを設けるスキャナ手段と、
前記スキャナ手段の動作を制御すると共に、前記天板が所定の状態に達した時点からの時間経過を基に、前記Ｘ線検出器の温度を制御するヒータの通電を制御する通電制御手段と、を有し、
前記通電制御手段は、スキャン終了後の前記架台装置からの前記天板の退避途中、又は、前記天板の下降途中で前記天板の所要位置を検知すると、その検知の時点から所要時間経過の時点まで、前記Ｘ線検出器のヒータへの通電を維持する通電待機時間を継続するＸ線ＣＴ装置。
【請求項３】
前記通電制御手段は、前記Ｘ線源の温度が所要温度以下となると、前記Ｘ線源への通電を維持する前記通電待機時間を終了する請求項１に記載のＸ線ＣＴ装置。
【請求項４】
Ｘ線源及びＸ線検出器を備える架台装置と、被検体を載置する天板を備える寝台装置とを設けるスキャナ手段と、
前記スキャナ手段の動作を制御すると共に、前記スキャナ手段の構成部材が所定の状態に達した時点からの時間経過を基に、前記回転駆動部の通電を制御する通電制御手段と、を有し、
前記架台装置は、前記Ｘ線源及び前記Ｘ線検出器を保持する回転部と、前記回転部を回転させる回転駆動部とを備え、
前記通電制御手段は、前記スキャナ手段によるスキャンの終了後も通電待機時間として前記回転駆動部の通電を維持し、前記構成部材が所定の状態に達した時点から所要時間経過後に前記回転駆動部の通電を終了するＸ線ＣＴ装置。
【請求項５】
Ｘ線源及びＸ線検出器を備える架台装置と、被検体を載置する天板を備える寝台装置とを設けるスキャナ手段と、
前記スキャナ手段の動作を制御すると共に、前記スキャナ手段の構成部材が所定の状態に達した時点からの時間経過を基に、前記Ｘ線検出器の温度を制御するヒータの通電を制御する通電制御手段と、を有し、
前記通電制御手段は、前記スキャナ手段によるスキャンの終了後も通電待機時間として前記ヒータの通電を維持し、前記構成部材が所定の状態に達した時点から所要時間経過後に前記ヒータの通電を終了するＸ線ＣＴ装置。
【請求項６】
前記構成部材は、前記天板である請求項４又は５に記載のＸ線ＣＴ装置。
【発明の詳細な説明】
【技術分野】
【０００１】
本発明の実施形態は、医用Ｘ線ＣＴ（ｃｏｍｐｕｔｅｄ  ｔｏｍｏｇｒａｐｈｙ）装置及びその制御方法に関するものである。
【背景技術】
【０００２】
Ｘ線ＣＴ装置は、被検体を透過したＸ線の強度に基づいて、被検体についての情報を画像により提供するものであり、疾病の診断・治療や手術計画等を初めとする多くの医療行為において重要な役割を果たしている。
【０００３】
Ｘ線ＣＴ装置の使用手順としては、操作者は、朝にＸ線ＣＴ装置の電源を投入してＸ線ＣＴ装置を起動させる。次いで、Ｘ線ＣＴ装置は、Ｘ線管のためのウォームアップスキャン等の準備を実行する。ウォームアップスキャンの実行後、患者が載置された天板を架台装置に挿入して、患者のスキャンを実行する。患者のスキャンが終了すると、患者が載置された天板を架台装置から退避させる。その日にスキャンすべき全ての患者のスキャンが終了すると、操作者は、Ｘ線ＣＴ装置をシャットダウンする。
【０００４】
救急病院等の医療機関では、医療機関への患者の搬入後、直ぐに、Ｘ線ＣＴ装置を使用できるように、Ｘ線ＣＴ装置を常時（２４時間）、通電・起動状態にしている場合もある。また、ウォームアップスキャンを実行する時間がない程度に緊急に患者のスキャンを実行したい場合は、Ｘ線ＣＴ装置は、ウォームアップスキャンの実行を経ずに、患者が載置された天板を架台装置に挿入して、患者のスキャンを実行する場合もある。
【先行技術文献】
【特許文献】
【０００５】
【特許文献１】特開２００２−２８１５７号公報
【発明の概要】
【発明が解決しようとする課題】
【０００６】
しかしながら、従来技術によると、Ｘ線ＣＴ装置によるスキャンの待機状態が存在し、その間、不要な電力を消費している。特に、救急病院等の医療機関では、必然的に待機時間が占める割合も多くなり、より待機電力を低減したいという要望が強い。
【課題を解決するための手段】
【０００７】
本実施形態のＸ線ＣＴ装置は、上述した課題を解決するために、Ｘ線源及びＸ線検出器を備える架台装置と、被検体を載置する天板を備える寝台装置とを設けるスキャナ手段と、前記スキャナ手段の動作を制御すると共に、前記天板が所定の状態に達した時点からの時間経過を基に、前記Ｘ線源の通電を制御する通電制御手段と、を有し、前記通電制御手段は、スキャン終了後の前記架台装置からの前記天板の退避途中、又は、前記天板の下降途中で前記天板の所要位置を検知すると、その検知の時点から所要時間経過の時点まで、前記Ｘ線源への通電を維持する通電待機時間を継続する。
本実施形態のＸ線ＣＴ装置は、上述した課題を解決するために、Ｘ線源及びＸ線検出器を備える架台装置と、被検体を載置する天板を備える寝台装置とを設けるスキャナ手段と、前記スキャナ手段の動作を制御すると共に、前記天板が所定の状態に達した時点からの時間経過を基に、前記Ｘ線検出器の温度を制御するヒータの通電を制御する通電制御手段と、を有し、前記通電制御手段は、スキャン終了後の前記架台装置からの前記天板の退避途中、又は、前記天板の下降途中で前記天板の所要位置を検知すると、その検知の時点から所要時間経過の時点まで、前記Ｘ線検出器のヒータへの通電を維持する通電待機時間を継続する。
【０００８】
また、本実施形態のＸ線ＣＴ装置は、上述した課題を解決するために、Ｘ線源及びＸ線検出器を備える架台装置と、被検体を載置する天板を備える寝台装置とを設けるスキャナ手段と、前記スキャナ手段の動作を制御すると共に、前記スキャナ手段の構成部材が所定の状態に達した時点からの時間経過を基に、前記回転駆動部の通電を制御する通電制御手段と、を有し、前記架台装置は、前記Ｘ線源及び前記Ｘ線検出器を保持する回転部と、前記回転部を回転させる回転駆動部とを備え、前記通電制御手段は、前記スキャナ手段によるスキャンの終了後も通電待機時間として前記回転駆動部の通電を維持し、前記構成部材が所定の状態に達した時点から所要時間経過後に前記回転駆動部の通電を終了する。
本実施形態のＸ線ＣＴ装置は、上述した課題を解決するために、Ｘ線源及びＸ線検出器を備える架台装置と、被検体を載置する天板を備える寝台装置とを設けるスキャナ手段と、前記スキャナ手段の動作を制御すると共に、前記スキャナ手段の構成部材が所定の状態に達した時点からの時間経過を基に、前記Ｘ線検出器の温度を制御するヒータの通電を制御する通電制御手段と、を有し、前記通電制御手段は、前記スキャナ手段によるスキャンの終了後も通電待機時間として前記ヒータの通電を維持し、前記構成部材が所定の状態に達した時点から所要時間経過後に前記ヒータの通電を終了する。
【図面の簡単な説明】
【００１０】
【図１】第１実施形態のＸ線ＣＴ装置を示すハードウェア構成図。
【図２】第１実施形態のＸ線ＣＴ装置の動作の第１例を示すフローチャート。
【図３】第１実施形態のＸ線ＣＴ装置の動作の第１例を示すフローチャート。
【図４】第１実施形態のＸ線ＣＴ装置の動作の第２例を示すフローチャート。
【図５】第２実施形態のＸ線ＣＴ装置を示すハードウェア構成図。
【図６】第２実施形態のＸ線ＣＴ装置のコンソールに設けられるスイッチを示す図。
【発明を実施するための形態】
【００１１】
本実施形態のＸ線ＣＴ装置及びその制御方法について、添付図面を参照して説明する。
【００１２】
本実施形態のＸ線ＣＴ装置には、Ｘ線源とＸ線検出器とが一体として被検体の周囲を回転する回転／回転（ＲＯＴＡＴＥ／ＲＯＴＡＴＥ）タイプと、リング状に多数の検知素子がアレイされ、Ｘ線源のみが被検体の周囲を回転する固定／回転（ＳＴＡＴＩＯＮＡＲＹ／ＲＯＴＡＴＥ）タイプ等様々なタイプがあり、いずれのタイプでも本発明を適用可能である。ここでは、現在、主流を占めている回転／回転タイプとして説明する。
【００１３】
また、入射Ｘ線を電荷に変換するメカニズムは、シンチレータ等の蛍光体でＸ線を光に変換し更にその光をフォトダイオード等の光電変換素子で電荷に変換する間接変換形と、Ｘ線による半導体内の電子正孔対の生成及びその電極への移動すなわち光導電現象を利用した直接変換形とが主流である。
【００１４】
加えて、近年では、Ｘ線源とＸ線検出器との複数のペアを回転リングに搭載したいわゆる多管球型のＸ線ＣＴ装置の製品化が進み、その周辺技術の開発が進んでいる。本実施形態のＸ線ＣＴ装置では、従来からの一管球型のＸ線ＣＴ装置であっても、多管球型のＸ線ＣＴ装置であってもいずれにも適用可能である。ここでは、一管球型のＸ線ＣＴ装置として説明する。
【００１５】
（第１実施形態）
図１は、第１実施形態のＸ線ＣＴ装置を示すハードウェア構成図である。
【００１６】
図１は、第１実施形態のＸ線ＣＴ装置１を示す。Ｘ線ＣＴ装置１は、大きくは、スキャナ装置１１及びコンソール１２によって構成される。Ｘ線ＣＴ装置１のスキャナ装置１１は、通常は検査室に設置され、患者Ｏの部位（被検体）に関するＸ線の透過データを生成するために構成される。一方、コンソール１２は、通常は検査室に隣接する制御室に設置され、透過データを基に投影データを生成して再構成画像の生成・表示を行なうために構成される。
【００１７】
Ｘ線ＣＴ装置１のスキャナ装置１１は、架台装置２０、寝台装置３０、及びコントローラ４０を備える。
【００１８】
スキャナ装置１１の架台装置２０は、Ｘ線源としてのＸ線管２１、絞り２２、Ｘ線検出器２３、ＤＡＳ（ｄａｔａ  ａｃｑｕｉｓｉｔｉｏｎ  ｓｙｓｔｅｍ）２４、回転部２５、高電圧電源２６、絞り駆動装置２７、回転駆動装置２８、及び操作パネル２９を設ける。
【００１９】
Ｘ線管２１は、高電圧電源２６から供給された管電圧に応じて金属製のターゲットに電子線を衝突させることでＸ線を発生させ、Ｘ線検出器２３に向かって照射する。Ｘ線管２１から照射されるＸ線によって、ファンビームＸ線やコーンビームＸ線が形成される。Ｘ線管２１は、高電圧電源２６を介したコントローラ４０による制御によって、Ｘ線の照射に必要な電力が供給される。
【００２０】
絞り２２は、絞り駆動装置２７によって、Ｘ線管２１から照射されるＸ線のスライス方向の照射範囲を調整する。すなわち、絞り駆動装置２７によって絞り２２の開口を調整することによって、スライス方向のＸ線照射範囲を変更できる。
【００２１】
Ｘ線検出器２３は、マトリクス状、すなわち、チャンネル方向に複数チャンネル、スライス方向に複数列のＸ線検知素子を有する２次元アレイ型のＸ線検出器２３（マルチスライス型検知器ともいう。）である。Ｘ線検出器２３のＸ線検知素子は、Ｘ線管２１から照射されたＸ線を検知する。
【００２２】
ＤＡＳ２４は、Ｘ線検出器２３の各Ｘ線検知素子が検知する透過データの信号を増幅してデジタル信号に変換する。ＤＡＳ２４の出力データは、スキャナ装置１１のコントローラ４０を介してコンソール１２に供給される。
【００２３】
回転部２５は、Ｘ線管２１、絞り２２、Ｘ線検出器２３、及びＤＡＳ２４を一体として保持する。回転部２５は、Ｘ線管２１とＸ線検出器２３とを対向させた状態で、Ｘ線管２１、絞り２２、Ｘ線検出器２３、及びＤＡＳ２４を一体として患者Ｏの周りに回転できるように構成されている。なお、回転部２５の回転中心軸と平行な方向をｚ軸方向、そのｚ軸方向に直交する平面をｘ軸方向、ｙ軸方向で定義する。
【００２４】
高電圧電源２６は、コントローラ４０による制御によって、Ｘ線の照射に必要な電力をＸ線管２１に供給する。
【００２５】
絞り駆動装置２７は、コントローラ４０による制御によって、絞り２２におけるＸ線のスライス方向の照射範囲を調整する機構を有する。
【００２６】
回転駆動装置２８は、コントローラ４０による制御によって、回転部２５がその位置関係を維持した状態で空洞部の周りを回転するように回転部２５を回転させる機構を有する。
【００２７】
操作パネル２９は、架台装置２０を動作させるために操作者、例えば技師が操作するための入力手段である。
【００２８】
スキャナ装置１１の寝台装置３０は、天板３１及び天板駆動装置３２を備える。天板３１は、患者Ｏを載置可能である。天板駆動装置３２は、コントローラ４０による制御によって、天板３１をｙ軸方向に沿って昇降動させると共に、ｚ軸方向に沿って進入／退避動させる機構を有する。回転部２５の中央部分は開口を有し、その開口部の天板３１に載置された患者Ｏが挿入される。
【００２９】
スキャナ装置１１のコントローラ４０は、ＣＰＵ（ｃｅｎｔｒａｌ  ｐｒｏｃｅｓｓｉｎｇ  ｕｎｉｔ）、及びメモリによって構成される。コントローラ４０は、架台装置２０及び寝台装置３０に通電する。また、コントローラ４０は、架台装置２０のＸ線管２１、Ｘ線検出器２３、ＤＡＳ２４、高電圧電源２６、絞り駆動装置２７、回転駆動装置２８、及び操作パネル２９と、寝台装置３０の天板駆動装置３２等の制御を行なってスキャンを実行させる。
【００３０】
Ｘ線ＣＴ装置１のコンソール１２は、コンピュータをベースとして構成されており、病院基幹のＬＡＮ（ｌｏｃａｌ  ａｒｅａ  ｎｅｔｗｏｒｋ）等のネットワークＮと相互通信可能である。コンソール１２は、図示しないが、ＣＰＵ、メモリ、ＨＤＤ（ｈａｒｄ  ｄｉｓｃ  ｄｒｉｖｅ）、入力装置、及び表示装置等の基本的なハードウェアから構成される。入力装置は、操作者によって操作が可能なポインティングデバイスやフットスイッチである。
【００３１】
コンソール１２は、撮影条件等をコントローラ４０に入力することで、コントローラ４０に、スキャナ装置１１の制御を指示する。また、コンソール１２は、スキャナ装置１１のＤＡＳ２４から入力された生データに対して対数変換処理や、感度補正等の補正処理（前処理）を行なって投影データを生成する。また、コンソール１２は、前処理された投影データに対して散乱線の除去処理を行なう。コンソール１２は、Ｘ線照射範囲内の投影データの値に基づいて散乱線の除去を行なうものであり、散乱線補正を行なう対象の投影データ又はその隣接投影データの値の大きさから推定された散乱線を、対象となる投影データから減じて散乱線補正を行なう。コンソール１２は、補正された投影データを基に再構成画像を生成する。
【００３２】
続いて、第１実施形態のＸ線ＣＴ装置１の動作の第１例について、図２及び図３に示すフローチャートを用いて説明する。
【００３３】
まず、Ｘ線ＣＴ装置１は、操作者、例えば技師による操作パネル２９又はコンソール１２の入力装置を介した電源の投入指示があるまで、電源の投入指示の待機状態となる（ステップＳＴ１）。電源の投入指示がある場合、Ｘ線ＣＴ装置１の全体の通電が開始され（ステップＳＴ２）、システムが起動される。コントローラ４０は、架台装置２０のＸ線管２１や、Ｘ線検出器２３の温度安定化のために設けられるヒータ等に通電する。
【００３４】
次いで、コントローラ４０は、技師によるスキャンの実行の指示があるまで待機する（ステップＳＴ３）。コントローラ４０は、技師による指示を基に、ウォームアップスキャンを実行するか否かを判断する（ステップＳＴ４）。技師は、ウォームアップスキャンを実行する時間がない程度に緊急に患者Ｏ１のスキャンを実行したい場合は、ステップＳＴ４においてウォームアップスキャンを実行しない指示を行なう。ステップＳＴ４の判断でＹＥＳ、すなわち、ウォームアップスキャンを開始すると判断すると、コントローラ４０は、回転駆動装置２８を介して回転部２５を回転させながら、高電圧電源２６を介してＸ線管２１からＸ線を照射させることで、ウォームアップスキャンを実行する（ステップＳＴ５）。
【００３５】
ステップＳＴ５によるウォームアップスキャンの終了後、検査室に入室させた患者Ｏ１が、スキャナ装置１１の寝台装置３０の天板３１上に載置される。コントローラ４０は、技師による指示を基に、天板駆動装置３２を介して患者Ｏ１が載置された天板３１を上昇させ、続けて、天板駆動装置３２を介して天板３１を架台装置２０側に移動させて、天板３１を架台装置２０（回転部２５によって形成されるボア）内に進入させる（ステップＳＴ６）。次いで、コントローラ４０は、技師によるスキャンの開始指示が行なわれると、回転駆動装置２８を介して回転部２５を回転させながら、高電圧電源２６を介してＸ線管２１からＸ線を照射させることで、患者Ｏ１のスキャンを実行する（ステップＳＴ７）。
【００３６】
ステップＳＴ７による患者Ｏ１のスキャンが終了すると、コントローラ４０は、技師による指示を基に、天板駆動装置３２を介して患者Ｏ１が載置された天板３１を架台装置２０から退避させ、続けて、天板駆動装置３２を介して天板３１を下降させる（ステップＳＴ８）。コントローラ４０は、天板３１の退避又は下降の途中において、天板３１が所要位置に達した時点を検知する（ステップＳＴ９）。ステップＳＴ９において、コントローラ４０は、例えば、天板３１の退避途中において天板３１が所要のｚ軸座標に達した時点、又は、天板３１の下降途中において天板３１が所要のｙ軸座標（高さ）に達した時点を検知する。次いで、コントローラ４０は、ステップＳＴ９によって検知された時点から所要時間、例えば１０分が経過していないか否かを判断する（ステップＳＴ１０）。すなわち、ステップＳＴ１０において、コントローラ４０は、待機時間を経過していないか否かを判断する。
【００３７】
ステップＳＴ１０の判断でＹＥＳ、すなわち、ステップＳＴ９によって検知された時点から所要時間が経過していないと判断する場合、コントローラ４０は、技師による指示を基に、スキャナ装置１１にて患者Ｏ１の次にスキャンを実行すべき患者Ｏ２について続けてスキャンを実行するか否かを判断する（ステップＳＴ１１）。ステップＳＴ１１の判断でＹＥＳ、すなわち、続けて患者Ｏ２のスキャンを実行する場合、コントローラ４０は、再度、ウォームアップスキャンを実行するか否かを判断する（ステップＳＴ４）。一方、ステップＳＴ１１の判断でＮＯ、すなわち、続けて患者Ｏ２のスキャンを実行しない場合、コントローラ４０は、再度、ステップＳＴ９によって検知された時点から所要時間が経過してないか否かを判断する（ステップＳＴ１０）。
【００３８】
ステップＳＴ１０の判断でＮＯ、すなわち、ステップＳＴ９によって検知された時点から所要時間が経過したと判断する場合、コントローラ４０は、しばらくの間はスキャンが実行されない、すなわち、スキャンの待機時間であると判断し、Ｘ線管２１を除く架台装置２０と、寝台装置３０との通電を終了する（ステップＳＴ１２）。ステップＳＴ１２において、コントローラ４０は、架台装置２０のＤＡＳ２４、絞り駆動装置２７、回転駆動装置２８、及び操作パネル２９等や、寝台装置３０の天板駆動装置３２等の通電を終了する。なお、架台装置２０のＸ線検出器２３のヒータについては、ステップＳＴ１２において他の部材と共に通電を終了してもよいし、ステップＳＴ１０で用いた所要時間より長い別の所要時間を経過した場合に単独で通電を終了してもよい。Ｘ線検出器２３は、その温度がＣＴ画像の画質を維持するために室温より高い適正温度、例えば４０±１［℃］の範囲となるようにコントローラ４０によって温度制御される。しかしながら、Ｘ線検出器２３のヒータの通電を終了するとＰＤが再び適正温度に達するまでに時間がかかるので、即時にヒータの通電を終了することは望ましくない。
【００３９】
次いで、コントローラ４０は、技師による指示を基に、スキャナ装置１１にて患者Ｏ２についてスキャンを実行するか否かを判断する（ステップＳＴ１３）。ステップＳＴ１３の判断でＹＥＳ、すなわち、患者Ｏ２のスキャンを実行する場合、コントローラ４０は、Ｘ線管２１を除く架台装置２０と、寝台装置３０との通電を開始し（ステップＳＴ１４）、再度、ウォームアップスキャンを実行するか否かを判断する（ステップＳＴ４）。一方、ステップＳＴ１３の判断でＮＯ、すなわち、患者Ｏ２のスキャンを実行しない場合、コントローラ４０は、Ｘ線管２１の温度が冷えて所定温度に達したか否かを判断する（ステップＳＴ１５）。
【００４０】
ステップＳＴ１５の判断でＹＥＳ、すなわち、Ｘ線管２１が所定温度に達したと判断する場合、コントローラ４０は、Ｘ線管２１の通電を終了する（ステップＳＴ１６）。一方、ステップＳＴ１５の判断でＮＯ、すなわち、Ｘ線管２１が所定温度に達していないと判断する場合、コントローラ４０は、再度、技師による指示を基に、スキャナ装置１１にて患者Ｏ２についてスキャンを実行するか否かを判断する（ステップＳＴ１３）。
【００４１】
ステップＳＴ１６によってＸ線管２１の通電が終了されると、コントローラ４０は、技師による指示を基に、スキャナ装置１１にて患者Ｏ２についてスキャンを実行するか否かを判断する（ステップＳＴ１７）。ステップＳＴ１７の判断でＹＥＳ、すなわち、患者Ｏ２のスキャンを実行する場合、コントローラ４０は、Ｘ線管２１を含む架台装置２０と、寝台装置３０との通電を開始し（ステップＳＴ１８）、再度、ウォームアップスキャンを実行するか否かを判断する（ステップＳＴ４）。一方、ステップＳＴ１７の判断でＮＯ、すなわち、患者Ｏ２のスキャンを実行しない場合、コントローラ４０は、技師による指示を基に、Ｘ線ＣＴ装置１のシャットダウン（電源の切断）の指示がされたか否かを判断する（ステップＳＴ１９）。ステップＳＴ１９の判断でＹＥＳ、すなわち、Ｘ線ＣＴ装置１のシャットダウンの指示がされた場合、Ｘ線ＣＴ装置１の全体の通電が終了される（ステップＳＴ２０）。一方、ステップＳＴ１９の判断でＮＯ、すなわち、Ｘ線ＣＴ装置１のシャットダウンの指示がされない場合、コントローラ４０は、再度、技師による指示を基に、スキャナ装置１１にて患者Ｏ２についてスキャンを実行するか否かを判断する（ステップＳＴ１７）。
【００４２】
また、ステップＳＴ４の判断でＮＯ、すなわち、緊急に患者Ｏ１のスキャンを実行したい場合であって、架台装置２０のウォームアップスキャンを実行しないと判断すると、コントローラ４０は、技師による指示を基に、天板駆動装置３２を介して患者Ｏ１が載置された天板３１を上昇させる。続けて、コントローラ４０は、天板駆動装置３２を介して天板３１を架台装置２０側に移動させて、天板３１を架台装置２０に進入させる（ステップＳＴ６）。
【００４３】
なお、ステップＳＴ１３による判断時は、Ｘ線管２１を除く架台装置２０と寝台装置３０とは通電されていない。ステップＳＴ１３において、通電されていない操作パネル２９の電源が技師によって投入されることで、コントローラ４０は、患者Ｏ２のスキャンを実行すると判断してもよい。また、ステップＳＴ１３において、コンソール１２から患者ＩＤ等の患者識別情報が入力されることで、コントローラ４０は、患者Ｏ２のスキャンを実行すると判断してもよい。さらに、ステップＳＴ１３において、架台装置２０に設けられるスイッチ（図示しない）が技師によって切り替えられることで、コントローラ４０は、患者Ｏ２のスキャンを実行すると判断してもよい。
【００４４】
同様に、ステップＳＴ１７による判断時では、Ｘ線管２１を含む架台装置２０と寝台装置３０とは通電されていない。ステップＳＴ１７において、通電されていない操作パネル２９の電源が技師によって投入されることで、コントローラ４０は、患者Ｏ２のスキャンを実行すると判断してもよい。また、ステップＳＴ１７において、コンソール１２から患者ＩＤ等の患者識別情報が入力されることで、コントローラ４０は、患者Ｏ２のスキャンを実行すると判断してもよい。さらに、ステップＳＴ１７において、架台装置２０に設けられるスイッチが技師によって切り替えられることで、コントローラ４０は、患者Ｏ２のスキャンを実行すると判断してもよい。
【００４５】
続いて、第１実施形態のＸ線ＣＴ装置１の動作の第２例について、図４に示すフローチャートを用いて説明する。図４に示すフローチャートでは、図２及び図３に示すフローチャートと異なり、Ｘ線ＣＴ装置１を常時（２４時間）、通電・起動状態とする場合を示している。
【００４６】
なお、図４に示すフローチャートにおいて、図２及び図３に示すフローチャートと同一ステップには同一符号を付して説明を省略する。
【００４７】
Ｘ線ＣＴ装置１のメンテナンス等の例外時を除き、原則としてＸ線ＣＴ装置１のシステムは常時起動されている。メインコントローラ４０は、技師によるスキャンの実行の指示があるまで待機する（ステップＳＴ３）。
【００４８】
ステップＳＴ１６によってＸ線管２１の通電が終了されると、コントローラ４０は、技師による指示を基に、スキャナ装置１１にて患者Ｏ２についてスキャンを実行するか否かを判断する（ステップＳＴ１７ａ）。ステップＳＴ１７ａの判断でＹＥＳ、すなわち、患者Ｏ２のスキャンを実行する場合、コントローラ４０は、Ｘ線管２１を含む架台装置２０と、寝台装置３０との通電を開始し（ステップＳＴ１８）、再度、ウォームアップスキャンを実行するか否かを判断する（ステップＳＴ４）。一方、ステップＳＴ１７ａの判断でＮＯ、すなわち、患者Ｏ２のスキャンを実行しない場合、コントローラ４０は、技師によるスキャンの実行の指示があるまで待機する（ステップＳＴ３）。
【００４９】
本実施形態のＸ線ＣＴ装置１及びその制御方法によると、技師は通常の操作手順を遂行しながら、不要な通電を自動で解除すると共に必要な場合には解除された通電を自動で復帰させるので、技師の手を煩わせることなく、Ｘ線ＣＴ装置１の起動状態での不要な消費電力を抑えることができる。
【００５０】
（第２実施形態）
図５は、第２実施形態のＸ線ＣＴ装置を示すハードウェア構成図である。
【００５１】
図５は、第２実施形態のＸ線ＣＴ装置１Ａを示す。Ｘ線ＣＴ装置１Ａは、大きくは、スキャナ装置１１Ａ及びコンソール１２によって構成される。Ｘ線ＣＴ装置１Ａのスキャナ装置１１Ａは、架台装置２０Ａ、寝台装置３０、及びコントローラ４０Ａを備える。なお、図５に示すＸ線ＣＴ装置１Ａにおいて、図１に示すＸ線ＣＴ装置１と同一部材には同一符号を付して説明を省略する。
【００５２】
スキャナ装置１１Ａの架台装置２０Ａは、Ｘ線管２１、絞り２２、Ｘ線検出器２３、ＤＡＳ２４、回転部２５、高電圧電源２６、絞り駆動装置２７、回転駆動装置２８、操作パネル２９、複数のＬＥＤ（ｌｉｇｈｔ  ｅｍｉｔｔｉｎｇ  ｄｉｏｄｅ）５１、カバー５２、及び通電切替部５３を設ける。
【００５３】
複数のＬＥＤ５１は、Ｘ線ＣＴ装置１Ａを構成する複数の基板、例えばＤＡＳ２４を構成する複数の基板付近に搭載され、各基板の状態情報やエラー情報等を報知するために点灯（点滅を含む）又は消灯する報知灯である。
【００５４】
カバー５２は、Ｘ線ＣＴ装置１Ａの通常起動状態（スキャン可能状態）で、複数のＬＥＤ５１を外観上視認できないように、複数のＬＥＤ５１を覆うように形成されている。カバー５２の一例として、架台カバー５２ａやＤＡＳカバー５２ｂが挙げられる。架台カバー５２ａは、回転部２５を覆うように形成され、大きくは、フロントカバー及びサイドカバーによって構成される。ＤＡＳカバー５２ｂは、ＤＡＳ２４を覆うように形成される。なお、カバー５２は、マイラー等であってもよい。
【００５５】
通電切替部５３は、Ｘ線ＣＴ装置１Ａの複数のＬＥＤ５１への通電／非通電を切り替えるためのトリガである。通電切替部５３としては、カバー５２の開閉を検知する開閉センサ、例えば、カバー５２としての架台カバー５２ａの開閉を自動的に検知する開閉センサ５３ａが挙げられる。架台カバー５２ａが開けられたことを開閉センサ５３ａが検知すると、コントローラ４０ａは、Ｘ線ＣＴ装置１Ａが通常起動状態からメンテナンス起動状態に切り換わったと判断し、複数のＬＥＤ５１の通電を開始する。一方、架台カバー５２ａが閉められたことを開閉センサ５３ａが検知すると、コントローラ４０ａは、Ｘ線ＣＴ装置１Ａがメンテナンス起動状態から通常起動状態に切り換わったと判断し、複数のＬＥＤ５１の通電を切断する。
【００５６】
コントローラ４０Ａは、通電切替部５３としての開閉センサ５３ａによってＸ線ＣＴ装置１Ａが通常起動状態からメンテナンス起動状態に切り替えられると、複数のＬＥＤ５１の通電を開始する。すなわち、メンテナンス起動状態において、複数のＬＥＤ５１のうち基板の状態情報やエラー情報を表示すべき特定のＬＥＤが点灯される。
【００５７】
従来のＸ線ＣＴ装置では、コントローラは、メンテナンス起動状態又は通常起動状態に関係なく、複数のＬＥＤに常時通電することで、複数のＬＥＤのうち基板の状態情報やエラー情報を表示すべき特定のＬＥＤが常時点灯される。
【００５８】
一方、Ｘ線ＣＴ装置１Ａでは、コントローラ４０Ａは、メンテナンス起動状態において、複数のＬＥＤ５１に通電することで、複数のＬＥＤ５１のうち基板の状態情報を表示させるべき特定のＬＥＤが点灯される。一方、Ｘ線ＣＴ装置１Ａでは、通常起動状態において、複数のＬＥＤ５１への通電を切断することで、複数のＬＥＤ５１の全てが消灯される。よって、Ｘ線ＣＴ装置１Ａは、通常起動状態における消費電力を低減できる。
【００５９】
また、Ｘ線ＣＴ装置１Ａでは、メンテナンス起動状態又は通常起動状態に関係なく、スキャナ装置２０Ａを構成する複数の基板のエラー情報が、コントローラ４０Ａにそれぞれ適宜送信される。コントローラ４０Ａは、エラー情報を蓄積する。そして、コントローラ４０Ａは、メンテナンス起動状態において、蓄積されたエラー情報に従って複数のＬＥＤ５１のうち基板のエラー情報を表示させるべきＬＥＤを特定して通電することで、特定のＬＥＤを点灯させる。よって、Ｘ線ＣＴ装置１Ａによると、メンテナンス起動状態において、点灯している特定のＬＥＤを頼りにエラー基板を視認できる。また、コントローラ４０Ａは、通常起動状態において、蓄積されたエラー情報に関係なく、複数のＬＥＤ５１への通電を切断することで、複数のＬＥＤ５１の全てが消灯される。よって、Ｘ線ＣＴ装置１Ａは、通常起動状態における消費電力を低減できる。
【００６０】
また、通電切替部５３としては、カバー５２表面に設置されたＯＮ／ＯＦＦスイッチ、例えば、カバー５２としてのＤＡＳカバー５２ａ表面に設置されたスイッチ５３ｂが挙げられる。さらに、通電切替部５３としては、操作パネル２９やコンソール１２に設けられるスイッチ５３ｃ（例えば、図６に図示）が挙げられる。メンテナンス起動状態を開始すると判断する操作者、例えば、整備士によってスイッチ５３ｂ，５３ｃが手動的にＯＮにされると、コントローラ４０Ａは、複数のＬＥＤ５１の通電を開始する。一方、通常起動状態を開始すると判断する操作者、例えば、技師によってスイッチ５３ｂ，５３ｃがＯＦＦにされると、コントローラ４０Ａは、複数のＬＥＤ５１の通電を切断する。
【００６１】
図６は、第２実施形態のＸ線ＣＴ装置１Ａのコンソール１２に設けられる通電切替部５３としてのスイッチを示す図である。
【００６２】
図６に示すように、コンソール１２の表示画面上には、Ｘ線ＣＴ装置１Ａの状態を切り替える通電切替部５３として、スイッチ５３ｃが表示されている。操作者がスイッチ５３ｃをＯＮ／ＯＦＦすることで、複数のＬＥＤ５１への通電を制御できる。
【００６３】
なお、通電切替部５３としてスイッチ５３ｂ，５３ｃを用いる場合、Ｘ線ＣＴ装置１Ａの通常起動状態又はメンテナンス起動状態に関わらず操作者の判断によって複数のＬＥＤ５１の通電を制御することもできる。すなわち、通電切替部５３としてスイッチ５３ｂ，５３ｃを用いる場合、通常起動状態において、複数のＬＥＤ５１に通電することも可能である。
【００６４】
本実施形態のＸ線ＣＴ装置１Ａ及びその制御方法によると、技師及び整備士等の操作者は通常の操作手順を遂行しながら通常起動状態ではＬＥＤ５１の全てを自動で通電させると共に、メンテナンス起動状態ではＬＥＤ５１の通電を自動で切断させるので、操作者の手を煩わせることなく、Ｘ線ＣＴ装置１Ａの通常起動状態での不要な消費電力を抑えることができる。
【００６５】
また、本実施形態のＸ線ＣＴ装置１Ａ及びその制御方法によると、技師及び整備士等の操作者は任意のタイミングでＬＥＤ５１の通電／非通電を切り替えられるので、不要な消費電力を抑えることができる。
【００６６】
なお、本実施形態のＸ線ＣＴ装置１，１Ａは、本発明の理解を容易にするために記載されたものであって、本発明を限定するために記載されたものではない。したがって、本実施形態のＸ線ＣＴ装置１，１Ａに開示された各要素は、本発明の技術的範囲に属する全ての設計変更や均等物をも含む趣旨である。例えば、Ｘ線ＣＴ装置１Ａのスキャナ装置１１Ａに複数のＬＥＤ５１及びカバー５２を備える例を説明したが、その場合に限定されるものではない。例えば、Ｘ線ＣＴ装置１Ａのコンソール１２の基板に複数のＬＥＤ５１及びカバー５２と同等の部材を備えてもよい。
【符号の説明】
【００６７】
１，１Ａ  Ｘ線ＣＴ装置
１１，１１Ａ  スキャナ装置
１２  コンソール
２０，２０Ａ  架台装置
２１  Ｘ線管
２３  Ｘ線検出器
２４  ＤＡＳ
２５  回転部
２９  操作パネル
３０  寝台装置
３１  天板
４０，４０Ａ  コントローラ
５１  複数のＬＥＤ
５２  カバー
５２ａ  架台カバー
５２ｂ  ＤＡＳカバー
５３  通電切替部
５３ａ  開閉センサ
５３ｂ，５３ｃ  スイッチ
【図１】
0005844061.tif 000002
【図２】
0005844061.tif 000003
【図３】
0005844061.tif 000004
【図４】
0005844061.tif 000005
【図５】
0005844061.tif 000006
【図６】
0005844061.tif 000007